(57)【要約】【目的】  作業が容易で、特別な棟木や支持部材を必要とせず、簡単に屋根下地を実現することが可能な、屋根パネルの施工方法の提供を目的とする。  【構成】  複数の屋根パネル１０を、棟用金具８で相互に締結することによって下地面を形成し、桁用金具９で前記枠組みに固定することによって枠組み上に位置決めし下地面の傾斜を形成することを特徴とする。【選択図】  図２
2006161287.tif 000002
【特許請求の範囲】
【請求項１】
複数の屋根パネルを組み合わせて枠組みの上に屋根の下地面を形成する屋根パネルの施工方法において、
前記複数の屋根パネルを、棟用金具で相互に締結することによって前記下地面を形成し、桁用金具で前記枠組みに固定することによって前記枠組み上に位置決めし前記下地面の傾斜を形成することを特徴とする屋根パネルの施工方法。
【請求項２】
前記棟用金具は前記屋根パネルの棟の位置に、前記桁用金具は前記屋根パネルの桁の位置に、それぞれ設けられることを特徴とする請求項１に記載の屋根パネルの施工方法。
【請求項３】
前記下地面の一方の傾斜面を構成する所定枚数の前記屋根パネルに前記棟用金具及び前記桁用金具を取付ける第１の金具取付工程と、
前記枠組みの桁の上に桁レール金具を取付ける桁レール金具取付け工程と、
前記桁と桁の間に仮梁を設ける仮梁設置工程と、
前記第１の金具取付工程で金具を取り付けた前記屋根パネルを野地面を上にして所定枚数だけ前記枠組みの一方の桁と前記仮梁との間に渡して横に並べるパネル並置工程と、
並置された前記屋根パネルを相互に組み合わせて位置合わせするパネル組合せ行程と、
パネル組合せ行程で組み合わされた所定枚数の前記屋根パネルを相互に縫い合わせて結合するパネル縫合工程と、
相互に結合された前記一方の傾斜面を構成する所定枚数の前記屋根パネルを前記桁用金具を支点として所定の傾斜角度まで立ち上がらせる立設工程と、
一方側の妻壁を前記一方の傾斜面の下に装着する第１の妻壁装着工程と、
前記下地面の他方の傾斜面を構成する所定枚数の前記屋根パネルに前記桁用金具を取付ける第２の金具取付工程と、
前記第２の金具取付工程で金具を取り付けた前記屋根パネルを順次前記枠組み上にあげて相互に組み合わせて位置合わせすると共に、前記一方の傾斜面を構成する前記屋根パネルの対応するものと前記棟用金具で締結して前記他方の傾斜面を形成するパネル締結工程と、
他方側の妻壁を前記他方の傾斜面の下に装着する第２の妻壁装着工程と、
前記金具と前記妻壁をすべて固定し前記仮梁を外して仕上げを行なう仕上げ工程と
を具備することを特徴とする請求項1又は請求項２に記載の屋根パネルの施工方法。
【請求項４】
前記パネル組合せ行程及び前記パネル締結工程の過程で、前記桁用金具を前記桁レール金具に係合させることを特徴とする請求項３に記載の屋根パネルの施工方法。
【請求項５】
前記桁用金具は、前記桁レール金具に係合する係合片と、前記桁に固定することにより前記下地面の傾斜を実現する固定片を有するものを含むことを特徴とする請求項3又は請求項４に記載の屋根パネルの施工方法。
【発明の詳細な説明】
【技術分野】
【０００１】
本発明は、屋根パネルの施工方法に関し、特に木質建材を用い施工を容易にした屋根パネルの施工方法に関する。
【背景技術】
【０００２】
木造建築における屋根の施工方法として、従来工法では、棟木、母屋、軒桁の間に垂木を架け、その上に野地板を張ってさらに断熱材やシール部材をおいて防水処理をし、その上に瓦や屋根板などの屋根外装材を置くなどの方法が採られていた。しかし、このような方法は、部材数が多く、また、高所での作業が多くなるなどの点で、施工工期が長くなり、結果的に高価になりがちであった。
このような問題を解決するために、屋根パネルを予め工場で作成しておき、これを施工現場に輸送して建設現場での作業を短縮する方法が提案されている。例えば、屋根パネルに嵌合孔を設け、これに横架材に設けた太柄を嵌め合わせることで位置決めする方法（特許文献１参照。）、屋根構成体に複数の係合部を設け、各係合部を互いに連結した状態で各屋根構成体を保持手段で連結したもの（特許文献２参照。）、屋根パネルを２つの傾斜面を有する支持部材上で棟用固定部材と規制材の間に固定するようにし、取り付け作業を屋根裏から可能にした構造（特許文献３参照。）が報告されている。
しかしながら、これらの従来の方法では、屋根パネルを所定の角度で取り付けるために特定の傾斜断面をもつ棟木や支持部材などが必要であり、これらの作成や取り付け作業に特別の工夫を要するため、必ずしも充分に施工工期が短縮できるとはいえないという問題があった。
【特許文献１】特開平１１−２１０１４３号公報
【特許文献２】特開平１０−１９６０３５号公報
【特許文献３】特開平６−４２０９４号公報
【発明の開示】
【発明が解決しようとする課題】
【０００３】
本発明は、以上の問題を解決して、作業が容易で、特別な棟木や支持部材を必要とせず、軽量の屋根パネルと金具の組み合わせから簡単に屋根下地を実現することが可能な、屋根パネルの施工方法の提供を課題とする。  
【課題を解決するための手段】
【０００４】
上記課題を解決するため、本発明の請求項1に記載の発明は、複数の屋根パネルを組み合わせて枠組みの上に屋根の下地面を形成する屋根パネルの施工方法において、前記複数の屋根パネルを、棟用金具で相互に締結することによって前記下地面を形成し、桁用金具で前記枠組みに固定することによって前記枠組み上に位置決めし前記下地面の傾斜を形成することを特徴とする。
【０００５】
上記課題を解決するため、本発明の請求項２に記載の発明は、請求項1に記載の発明において、前記棟用金具は前記屋根パネルの棟の位置に、前記桁用金具は前記屋根パネルの桁の位置に、それぞれ設けられることを特徴とする。
【０００６】
上記課題を解決するため、本発明の請求項３に記載の発明は、請求項1又は請求項２に記載の発明において、前記下地面の一方の傾斜面を構成する所定枚数の前記屋根パネルに前記棟用金具及び前記桁用金具を取付ける第１の金具取付工程と、前記枠組みの桁の上に桁レール金具を取付ける桁レール金具取付け工程と、前記桁と桁の間に仮梁を設ける仮梁設置工程と、前記第１の金具取付工程で金具を取り付けた前記屋根パネルを野地面を上にして所定枚数だけ前記枠組みの一方の桁と前記仮梁との間に渡して横に並べるパネル並置工程と、並置された前記屋根パネルを相互に組み合わせて位置合わせするパネル組合せ行程と、パネル組合せ行程で組み合わされた所定枚数の前記屋根パネルを相互に縫い合わせて結合するパネル縫合工程と、相互に結合された前記一方の傾斜面を構成する所定枚数の前記屋根パネルを前記桁用金具を支点として所定の傾斜角度まで立ち上がらせる立設工程と、一方側の妻壁を前記一方の傾斜面の下に装着する第１の妻壁装着工程と、前記下地面の他方の傾斜面を構成する所定枚数の前記屋根パネルに前記桁用金具を取付ける第２の金具取付工程と、前記第２の金具取付工程で金具を取り付けた前記屋根パネルを順次前記枠組み上にあげて相互に組み合わせて位置合わせすると共に、前記一方の傾斜面を構成する前記屋根パネルの対応するものと前記棟用金具で締結して前記他方の傾斜面を形成するパネル締結工程と、他方側の妻壁を前記他方の傾斜面の下に装着する第２の妻壁装着工程と、  前記金具と前記妻壁をすべて固定し前記仮梁を外して仕上げを行なう仕上げ工程とを具備することを特徴とする。
【０００７】
上記課題を解決するため、本発明の請求項４に記載の発明は、請求項３に記載の発明において、前記パネル組合せ行程及び前記パネル締結工程の過程で、前記桁用金具を前記桁レール金具に係合させることを特徴とする。
【０００８】
上記課題を解決するため、本発明の請求項５に記載の発明は、請求項３または請求項４に記載の発明において、前記桁用金具は、前記桁レール金具に係合する係合片と、前記桁に固定することにより前記下地面の傾斜を実現する固定片を有するものを含むことを特徴とする。
【発明の効果】
【０００９】
本発明の屋根パネルの施工方法は、以上のように構成したので、パネルと独特の金具を用いることで、パネルの締結やパネルの位置決め、下地面の傾斜の形成などの現場での作業を簡単にかつ少なくすることができ、短い時間で枠組みの上に屋根の下地面を形成することができる。さらに、この発明では、特別な形状の棟木や支持部材を必要とせず、また、屋根下地面の下に小屋束を設けなくても下地面の位置決めや傾斜を実現できるので、廉価に施工できると共に、屋根下の空間を有効に利用することができる。
【発明を実施するための最良の形態】
【００１０】
本発明を添付図面を参照にして詳細に説明する。
【００１１】
図１は、本発明の屋根パネルの施工方法の一実施の形態に用いられる屋根パネル単体の外観斜視図、図２（ａ）は、その棟から軒方向への縦断面図、図２（ｂ）は、横断面図である。図１及び図２において、符号１は野地合板、符号２は天井合板、符号３は断熱材、符号４はＩ型ビーム、符号５は軒合板、符号６は軒桟材、符号７は桟材、符号８は棟用金具、符号９は桁用金具、符号１０は屋根パネルである。なお、図１では、軒位置に軒合板５が貼られていないで、Ｉ型ビーム４が剥き出しになっているが、美観上あるいは換気を制御するために、図２に示す軒位置に軒合板５を貼りつけても良い。
【００１２】
屋根パネル１０は、このように、主として合板１、２と断熱材３で構成されているので、比較的軽量であるが強固であり、断熱性、気密性に富んでいる。本発明では、この屋根パネル１０を並べて組み立てて屋根組みを施工する。
【００１３】
図３は、この屋根パネル１０を用いて切妻屋根を構成する場合の組み立て順序を簡略に示した説明図である。この例では、屋根パネル１０を片側に１２枚を用いている。
まず、図３（ａ）、（ｂ）に示すように、一方側（仮にA側とする）の桁２１と、桁２１と桁２１の略中間に置かれた仮桁角材２２との間にA側のパネルを野地面を上にして、少しづつ間隔をあけて、順次１１枚まで並べる。桁２１には桁２１の内側を基準として桁用レール２３が取り付けられている。このとき、屋根パネル１０の桁用金具９は後述するように桁用レール２３と係合する。図４は、桁２１と仮桁角材２２と桁用レール２３と仮置きされた屋根パネル１０の位置関係を示す略図である。また、図５は、桁２１上の桁用レール２３の位置を示す略図である。
【００１４】
このA側の屋根パネル１０には、棟用金具（ＰＭ２）８と桁用金具（ＰＫ１、ＰＫ２）９とが取り付けられる。図６に、本発明で用いられる金具の斜視図を示す。また、図７は、A側の屋根パネル１０でのこれらの金具と後の工程で取り付けられる棟用金具（ＰＭ１）８の取り付け位置を天井側から見た図で示す。
【００１５】
これらの金具のうち、棟用金具８のＰＭ２は、屋根パネル１０の中間の２本のＩ型ビーム４に取り付けられ、棟部分でA側の屋根パネル１０とＢ側の屋根パネル１０との連結に用いられる。また、後ほど両端のＩ型ビーム４に取り付けられる棟用金具８のＰＭ１は、A側及びＢ側の屋根パネル１０同士の連結とA側の屋根パネル１０とＢ側の屋根パネル１０との連結に用いられる。
棟用金具８は中央で所定の角度に折り曲げられた２片からなり、一方をA側の屋根パネル１０に取り付けられるＡ片８ａとすると、他方はＢ側の屋根パネル１０に取り付けられるＢ片８ｂであり、Ａ片８ａとＢ片８ｂのなす角βは、下地面の水平面に対する傾斜角をαとすると
【００１６】
β＝１８０°−２α
である。
【００１７】
一方、桁用金具９のＰＫ２は、屋根パネル１０の中間の２本のＩ型ビーム４に取り付けられ、桁用レール２３と係合して屋根パネル１０の滑り止めの役割を果たすと共に、最終的に一部が桁２１に固定されて下地面の水平面に対する傾斜角αを形成する機能を有している。
桁用金具９のＰＫ２の桁用レール２３と係合する係合片９ｃは、Ｉ型ビーム４に固定されるビーム片９ａの一部を折り曲げて形成されており、ビーム片９ａと係合片９ｃとのなす角は９０°である。また、最終的に桁２１に固定される桁片９ｂとビーム片９ａとのなす角度γは、
【００１８】
γ＝９０°＋α
である。また、桁用金具９のＰＫ１は屋根パネル１０の両端の２本のＩ型ビーム４に取り付けられ、ビーム片９ａと桁片９ｂを有している。
【００１９】
A側の屋根パネル１０を、その桁用金具９のＰＫ２が桁用レール２３にかみ合うように置いて１１枚並び終えると、１枚目のパネルＡ−1に２枚目のパネルＡ−２を合わせ、両方のパネルの軒先部分と棟側が相互に一致していることを確かめる。同様に２枚目のパネルに３枚目を、というように順次合わせて行き、１１枚目まで合わせ終わるとさらに最後の１２枚目を上げて連結し、棟側、軒先側及び中間部の幅寸法を計測しながら所定の寸法になるように、屋根パネルの両側に角材などを置いて締め付ける。
【００２０】
寸法が合ったら、パネル野地合板１側から桟材７を使ってパネル１０同士を縫い合わせ、さらに棟側上部を仮固定する。この状態でパネル１２枚をゆっくり起こして行って、図８に点線で示すように、桁用金具９のＰＫ１とＰＫ２が桁２１についたら上げるのを止め、組み合わされた１２枚の屋根パネル１０の両サイド及び中央部の下に妻壁を挟み込み、突っ張り材をA側の屋根パネル１０の下に噛まして支持しておく。
【００２１】
次に、B側の屋根パネル１０に桁用金具（ＰＫ１、ＰＫ２）９を取り付け、B側の１枚目のパネルＢ−１を上に上げて、桁用金具９のＰＫ２が桁用レール２３に噛み合い、さらに、A側の屋根パネル１０の端に合うように、パネルＡ−１の棟用金具８のＰＭ１の上に載せる。
さらに、B側の２枚目のパネルＢ−２を上げて１枚目のパネルＢ−１とに合わせる。以下、順にB側の屋根パネル１０を上げて先のパネルに合せて１２枚並べて行く。１２枚連結したら、幅寸法を計測しながらA側と同じ幅の寸法になるように、屋根パネルの両側に角材などを置いて締め付ける。その後、Ｂ側にも妻壁を取り付け、A側の屋根パネル１０の下に噛ましてある突っ張り材をゆっくり取り去り、A側屋根パネル１０とＢ側屋根パネル１０とが棟部分で合わさるようにして、棟の水平を確認する。
【００２２】
全パネルが取り付けられ、確認が終わると、棟用金具８のＰＭ１を所定の位置に取付け、  ＰＭ２と共にビス止めする。さらに、屋根パネル１０下の妻壁も固定する。その後、棟部分、けらば部分などを処理し、仮桁角材２２などを撤去して終了する。
【００２３】
以上、本発明をその一実施の形態にそって説明したが、本発明によると、屋根パネルと独特の金具を用いたことで、パネル相互の締結やパネルの位置決め、下地面の傾斜の形成などの作業を容易に行なうことができ、現場作業が容易簡単になり、屋根の下地面を形成するすべての現場作業を４人の作業者で約４時間程度で行なうことができるなど、効率的に実現することができる。また、屋根の下地面を軽量で廉価に形成でき、小屋裏に大きな空間を実現することができるなどの利点を有している。本発明は、この実施の形態に限られるものではなく、例えば作業手順の変更など本発明の主旨を逸脱しない範囲で様々な形態を採ることができる。
【産業上の利用可能性】
【００２４】
本発明の屋根パネルの施工方法によると、短い現場作業時間で、効率的に屋根の下地面を形成することができるので、幅広い建築の屋根に有効に利用することができ、経済的な効果が大きいため、建築分野で広い利用の可能性を有している。
【図面の簡単な説明】
【００２５】
【図１】本発明の屋根パネルの施工方法に用いられる屋根パネル単体の外観斜視図である。
【図２】図１に示す屋根パネルの縦及び横断面図である。
【図３】図１に示す屋根パネルを用いて切妻屋根を構成する場合の組み立て順序を示す説明図である。
【図４】桁と仮桁角材と桁用レールと仮置きされた屋根パネルの位置関係を示す略図である。
【図５】桁上の桁用レールの位置を示す略図である。
【図６】本発明で用いられる金具の斜視図である。
【図７】A側の屋根パネルでの金具の取り付け位置を天井側から見た図である。
【図８】パネルを起こす工程での桁用金具と桁と桁用レールの位置関係を示す図である。
【符号の説明】
【００２６】
１    野地合板
２    天井合板
３    断熱材
４    Ｉ型ビーム
５    軒合板
６    軒桟材
７    桟材
８    棟用金具
８ａ  Ａ片
８ｂ  Ｂ片
９    桁用金具
９ａ  ビーム片
９ｂ  桁片
９ｃ  係合片
１０  屋根パネル
２１  桁
２２  仮桁角材
２３  桁用レール
【図１】
2006161287.tif 000003
【図２】
2006161287.tif 000004
【図３】
2006161287.tif 000005
【図４】
2006161287.tif 000006
【図５】
2006161287.tif 000007
【図６】
2006161287.tif 000008
【図７】
2006161287.tif 000009
【図８】
2006161287.tif 000010